(57)【要約】【課題】コンテンツを複数画面に分割表示している場合に、複数画面に表示している複数のコンテンツが互いに関係あるか、ないかを判断して表示制御することによって使用性が向上する表示制御装置を提供する。【解決手段】コンテンツを複数画面で表示する表示部と、前記表示部の画面上の任意の位置を指示する指示部と、前記複数画面に表示しているコンテンツが互いに関係あるか否か判断する判断部と、前記指示部により指示された位置を含む画面の処理を、前記判断部による判断結果に基づいて、切り替えるように制御する制御部とを備える。【選択図】図１
2010122812.tif 000002
【特許請求の範囲】
【請求項１】
コンテンツを複数画面で表示する表示部と、
前記表示部の画面上の任意の位置を指示する指示部と、
前記複数画面に表示しているコンテンツが互いに関係あるか否か判断する判断部と、
前記指示部により指示された位置を含む画面の処理を、前記判断部による判断結果に基づいて、切り替えるように制御する制御部と
を備えることを特徴とする表示制御装置。
【請求項２】
前記判断部が、前記複数画面に表示しているコンテンツが互いに関係あるコンテンツを表示していると判断した場合で、かつ、一方の画面には前記コンテンツに含まれる語句の詳細情報が表示され、もう一方の画面には、前記語句に関連した情報を表示している場合は、前記制御部は、前記指示部が一方の画面を指示したとき、前記指示した箇所を範囲選択として処理する請求項１に記載の表示制御装置。
【請求項３】
前記指示部が、前記もう一方の画面を指示したとき、前記制御部は、指示操作を無効処理する請求項２に記載の表示制御装置。
【請求項４】
前記判断部が、前記複数画面に表示しているコンテンツが互いに関係あるコンテンツを表示していると判断する場合は、一方の画面に１つまたは複数見出し語を含む詳細情報を表示し、他方の画面に前記１つの見出し語に対応する関連情報を表示する場合である請求項１から３のいずれか１項に記載の表示制御装置。
【請求項５】
前記詳細情報は、前記見出し語に対応する訳語（語義）、説明文、発音記号を含み、
前記関連情報は、前記詳細情報以外の前記見出し語に関連する情報である例文、解説、熟語、複合語を含む請求項４に記載の表示制御装置。
【請求項６】
前記判断部が、前記複数画面に表示しているコンテンツが互いに関係あるコンテンツを表示していると判断した場合で、かつ、一方の画面には前記コンテンツに含まれる複数の語句の一覧が表示され、もう一方の画面には、前記複数の語句の中の１つの語句の詳細情報を表示している場合は、前記制御部は前記指示部が、前記複数の語句の一覧が表示されている画面を指示したとき、指示された位置の語句を選択する処理を行う請求項１に記載の表示制御装置。
【請求項７】
前記指示部が、前記１つの語句の詳細情報を表示している画面を指示したとき、前記制御部は、指示された画面を全画面表示する処理を行う請求項６に記載の表示制御装置。
【請求項８】
前記判断部が、前記複数の画面に表示しているコンテンツが互いに関係ないコンテンツを表示していると判断する場合は、前記制御部は前記指示部が一方の画面を指示したとき、該前記指示部により指示された画面を全画面表示する処理を行う請求項１に記載の表示制御装置。
【請求項９】
前記判断部が、前記複数の画面に表示しているコンテンツが互いに関係ないコンテンツを表示していると判断する場合は、一方の画面に見出し語を表示し、他方の画面に前記見出し語とは異なる見出し語を表示する場合である請求項８に記載の表示制御装置。
【請求項１０】
前記制御部は、前記表示画面にコンテンツを表示している場合に、前記指示部が前記コンテンツの表示部分を指示したとき、前記指示した箇所を範囲選択し、前記コンテンツの表示部分でない箇所を指示したとき、前記指示された操作を無効処理する請求項１に記載の表示制御装置。
【請求項１１】
前記指示部は、前記表示画面上に設けたタッチセンサーである請求項１，３，６，７，８，１０のいずれか１項に記載の表示制御装置。
【請求項１２】
請求項１乃至１１のいずれか１項に記載の表示制御装置は、電子辞書の表示部を制御する表示制御装置。
【請求項１３】
コンピュータによって、
コンテンツを複数画面に表示する表示ステップと、
前記複数画面上の任意の位置を指示する指示ステップと、
前記複数画面に表示しているコンテンツが互いに関係あるか否か判断する判断ステップと、
前記指示ステップにより指示された位置を含む画面の処理を、前記判断ステップによる判断結果に基づいて、切り替えるように制御する制御ステップと
を実行することを特徴とする表示制御方法。
【発明の詳細な説明】
【技術分野】
【０００１】
本発明は、表示部の表示制御装置及び表示制御方法に関し、特に表示部にコンテンツを複数画面に分割表示している場合に、複数画面に表示している複数のコンテンツが互いに関係あるか、ないかを判断して表示制御する表示制御装置および表示制御方法に関する。
【背景技術】
【０００２】
コンピュータの出力装置である表示装置は、表示コンテンツの種類および情報量によって、コンテンツを１画面に表示したり、複数のコンテンツを複数画面に分割表示したり、表示状態を切り替える。複数のコンテンツを複数画面に分割表示している場合、使用者は表示画面を選択して、その選択画面に対して、更に情報を入力、削除或いは範囲選択し、または画面を拡大、縮小或いは移動するような操作を行う。
例えば、図１０は電子辞書の表示画面の一例を示す。図１０（ａ）は、表示部５０の表示画面に２つのコンテンツを上下２画面に分割表示している。上側画面は「あ」と、その意義を表示し、下側画面は「ああ」と、その意義を表示している。この場合に、タッチペン６０またはマウス（カーソルを図示しない）を用いて、上側画面を操作すると、その操作された上側画面が選択画面であるとコンピュータが認識する。そして、その上側画面に対する動作が実施される。図１０（ａ）は、タッチペン６０またはマウスによって、「音節」が範囲選択された場合であるとして、図１０（ｂ）のように、文字選択動作を実施する。図１０（ｂ）は範囲選択された部分を四角の枠で示している。
図１１（ａ）は、表示部５０の表示画面に１つのコンテンツを１画面表示している場合を示す。この場合に、タッチペンまたはマウスによって、画面操作すると、その画面に対する動作が実施される。図１１（ｂ）はタッチペンまたはマウスによって「音節」が選択された場合であるとして、図１１（ｂ）のように、文字選択動作が実施される。
このように、表示部５０にコンテンツを１画面表示している場合も、複数のコンテンツを複数画面に表示している場合も、タッチペンまたはマウスによって行われる操作に対して、表示装置は同じ動作を行う。
【０００３】
例えば、電子辞書のように小型で、携帯型の電子機器は、操作が限定されるので、表示画面の表示状態に応じて、動作状態が変化すると便利であり、使用性が向上する。ここで、表示状態とは、コンテンツを１画面に表示している場合、複数のコンテンツを複数画面に分割表示している場合、また複数画面に表示している複数のコンテンツが互いに関係ある場合、複数のコンテンツが互いに関係ない場合を指す。動作状態とは、範囲選択、画面遷移を指す。
このような観点から、特許文献１は、電子辞書の表示方法を開示している。即ち、複数の表示態様から１つを選択すると、その後は、画面上に表示する各種アイコンおよび画面デザインを選択された表示態様で表示を行う。例えば、項目名検索時は、項目名入力エリアに文字入力する度に、候補項目名表示エリアに表示する候補の項目名を絞り込んでいくようにする。またひらがなを入力して、漢字やカタカナの本見出しの項目を検索できるようにする。また候補として一覧表示された本見出しにマウスカーソルを合わせると、読み表記をバルーンヘルプのように表示する。また任意のテーマ項目で電子辞書の項目を集めて保存し、逆にテーマ項目を読み出して、そのテーマ項目に含まれる項目にすぐにアクセスできるようにする。
【０００４】
また、特許文献２は、リソースが限られた携帯端末で、より適切に複数のアプリケーションを実行する携帯電話端末を開示し、動作モードとして、表示画面を一つのアプリケーションに割当てる全画面モードと、それぞれアプリケーションが割当てられる複数の分割エリア間でフォーカスを切り替えるフォーカス切替モードと、フォーカスが当てられた分割エリア内でアプリケーションの実行に伴って当該分割エリアの表示内容を更新する小画面モードとを有し、操作部の操作に応じて動作モードを切り替える。複数の分割エリアのうちフォーカスが当っている分割エリアでのみアプリケーションが実行され、その分割エリア内で当該アプリケーションの内容を表示する。
【特許文献１】特開平１０−３２６２８０号公報
【特許文献２】特開２００８−１１７１８１号公報
【発明の開示】
【発明が解決しようとする課題】
【０００５】
特許文献１及び２によれば、選択した表示態様ごとに異なる動作が行われ、電子辞書の操作性が向上する。しかしながら、電子辞書のように機能が限定される電子機器は、表示画面の表示状態により、使用者によってされる動作状態は限定されることが多い。このような場合、表示状態により使用者によってされる動作状態を制御すると、より使用性を向上することができる。
本発明は、以上のように課題に鑑みて、コンテンツを複数画面に分割表示している場合に、複数画面に表示している複数のコンテンツが互いに関係あるか、ないかを判断して表示制御することによって使用性が向上する表示制御装置および表示制御方法を提供することを目的とする。
【課題を解決するための手段】
【０００６】
上記課題を解決するため、本発明の表示制御装置は、コンテンツを複数画面で表示する表示部と、前記表示部の画面上の任意の位置を指示する指示部と、前記複数画面に表示しているコンテンツが互いに関係あるか否か判断する判断部と、前記指示部により指示された位置を含む画面の処理を、前記判断部による判断結果に基づいて、切り替えるように制御する制御部とを備えることを特徴とする。
【０００７】
例えば、電子辞書では、１つのコンテンツを１画面に表示している状態、２つのコンテンツを２画面に分割表示している状態がある。さらに２画面に２つのコンテンツが分割表示されている場合に、互いのコンテンツが関係ある場合と、関係ない場合がある。ここで、電子辞書において、関係のある情報とは、例えば、見出し語と、その訳語（語義）、解説情報または例文などの関係であり、関係ない情報の表示状態とは、互いに異なる見出し語を表示している状態である。また、関係ある情報の表示状態には一方の画面ではコンテンツをリストのように表示し、他方の画面ではそのリストのうちの一つのコンテンツの詳細情報を表示している場合がある。
【０００８】
ここで、電子辞書では、１つのコンテンツを１画面に表示している状態は、目的とする単語の解説内容が表示されている状態であり、この状態は使用者が目的の画面に到達した状態であると言える。そのため、このように１つのコンテンツを１画面に表示している状態では、使用者が画面にタッチする操作は画面遷移を要求するものではない。従って、この状態における使用者の画面タッチは、その表示内容に対する選択操作である、とすることが使用者の操作目的に合致する。これにより、電子辞書の使用性が向上する。
また、電子辞書が２つのコンテンツを２画面に分割表示している場合、その２つの表示内容が互いに関係のない情報である場合、使用者は２つの画面を、見比べてどちらが所望の内容を表示しているか判断している状態である。そのため使用者の画面タッチは、その表示内容に対する選択操作ではなく、画面遷移操作である。従って、本発明の画面制御装置は、分割表示された画面のうち、前記タッチされた方の画面を画面全体に表示するように切り替えることにより、使用性を向上させることができる。
また、電子辞書が２つのコンテンツを２画面に分割表示している場合、その２つの表示内容が互いに関係のある情報である場合、使用者は目的とする画面に到達した状態であり、かつその解説画面を詳細に見ている状態であると言える。そのため、このような状態で、使用者が画面タッチする場合は、画面遷移操作でなく、その表示内容に対する選択操作とすることが使用者の操作目的に合致する。これにより、電子辞書の使用性が向上する。
【０００９】
また本発明は、上記課題を解決するため、別の観点によれば、表示制御方法であり、コンピュータによって、コンテンツを複数画面に表示する表示ステップと、前記複数画面上の任意の位置を指示する指示ステップと、前記複数画面に表示しているコンテンツが互いに関係あるか否か判断する判断ステップと、前記判断ステップにより指示された位置を含む画面の処理を、前記判断ステップによる判断結果に基づいて、切り替えるように制御する制御ステップとを実行することを特徴とする。これにより、電子機器の使用性が向上する。
【発明の効果】
【００１０】
本発明の表示制御装置によれば、表示部にコンテンツを複数画面に分割表示している場合に、複数画面に表示している複数のコンテンツが互いに関係あるか、ないかを判断して表示制御することによって使用性が向上する表示制御装置が提供される。
【発明を実施するための最良の形態】
【００１１】
図１は、本発明の表示制御装置１００のブロック図を示す。
本発明の表示制御装置１００は、例えば、電子辞書のような小型携帯型電子機器として具現化され、電子機器は上側本体と下側本体に分割され、上側本体と下側本体が蝶番機構によって折り畳み可能に結合される。上側本体に表示部が備えられ、下側本体に電子機器の制御部を備える。上側本体に備えられた表示部は上側本体の面積の大部分を占めるような大きい画面を有し、各種情報を表示する。例えば、電子機器が電子辞書である場合、入力された見出し語や指示、命令を表示する。また見出し語に対応する訳語（語義）、説明文、関連情報、発音記号、例文を表示する。本発明の表示制御装置１００は、上側本体に備えられた表示部の表示制御するものである。このように、電子機器を上側本体と下側本体に分割し、蝶番機構によって折り畳み可能に結合することは、本発明において必須ではなく、一体構成としてもかまわない。
下側本体の表面には、キーボードが配置されると共に小画面のタッチパネルが配置される。小画面のタッチパネルは、手書き文字入力部として、あるいはペン又は指による指示部、命令部として使用される。このような小画面のタッチパネルは、本発明において、必須でなく、あってもなくても構わない。
【００１２】
本発明の表示制御装置１００は、入出力デバイス部１と、プログラム部２と、データ部３、制御部４、一時記憶部５を備える。
入出力デバイス部１は、表示部１１と、キー入力部１２と、タッチパネル入力部１３を備える。
【００１３】
表示部１１は、代表的には液晶表示装置であるが、有機ＥＬ表示装置、プラズマ表示装置、電子ペーパーのような表示装置を使用することも可能である。表示部１１は、例えば、上側本体と下側本体が折り畳み可能に結合された電子機器において、上側本体に配置され、上側本体と同程度の面積の表示画面を有する。
キー入力部１２は、ＱＷＥＲＴＹ方式キーボードよりなり、下側本体の表面に配置される。このキーボードを使用して文字、数字を入力する。また、キーボードを使用して電子辞書に指示、命令のコマンドを入力する。ここで、キーボードは、上記に記載したＱＷＥＲＴＹ形式のキーボードだけでなく、五十音表順にひらがなを配列した「あいうえおキーボード」や、言語に伴った専用のキーボードであっても構わない。
タッチパネル入力部１３は、表示部１１の前面に重ねて配置したタッチパネルに、ペンまたは指によって入力する部分である。タッチパネルは、アナログ抵抗膜方式、超音波表面弾性波方式、赤外線遮光方式、静電容量方式、電磁誘導方式、画像認識方式があり、いずれも使用可能であるが、ここではアナログ抵抗膜方式を使用した。また、下側本体に配置したキーボード部の近傍に配置した表示部にもタッチパネル入力部を設けて、手書き入力部、位置指示、画面選択、範囲選択として使用してもよい。ただし、本発明では、下側本体の表面にタッチパネル入力部がない構成であっても構わない。
タッチパネル入力部１３に代えて、またはタッチパネル入力部１３とともに、マウス１３ａを備え、マウス１３ａを使用して任意の位置を指示し、画面を選択し、文字範囲のような領域を指示することができる。
【００１４】
プログラム部２は、表示処理部２１、キー入力受付部２２、タッチパネル入力受付部２３、コンテンツ検索処理部２４、コンテンツ表示処理部２５、表示バッファ部２６、タッチパネル入力位置情報判断部２７、表示中コンテンツの状態判別部２８を備える。この外に、図示しないが、電子辞書の制御プログラム記憶部、文書作成プログラム、図表作成プログラムを備える。
【００１５】
表示処理部２１は、表示部１１の表示データを処理する部分である。
キー入力受付部２２は、キー入力部１２の入力を受付け、キー操作の情報を処理する部分である。
タッチパネル入力受付部２３は、ペンまたは指によって操作されたタッチパネル入力部１３の入力を受付け、入力座標または入力座標領域を検出する部分である。また、キーボード部近傍に配置した表示部のタッチパネル入力部の入力を受付け、入力座標または入力座標領域を検出する。マウス１３ａを備える場合は、マウスの入力操作を受付け、マウスの操作情報、例えば、任意の位置を指示する指示操作、画面を選択する画面選択操作、領域を指示する領域操作による情報を処理する。
コンテンツ検索処理部２４は、キー入力部１２より入力されたキーワード、またはタッチパネル入力部１３あるいはマウスによって範囲指定されたキーワードを用いて、データ部４に格納されたコンテンツを検索する部分である。
【００１６】
コンテンツ表示処理部２５は、コンテンツリスト表示情報データベース部３２、コンテンツ解説部表示情報データベース部３３およびコンテンツ例文部表示情報データベース部３４に接続され、コンテンツ表示情報を処理する部分である。
表示バッファ部２６は、表示処理部２１によって処理するために表示データを一時記憶する部分である。
タッチパネル入力位置情報判断部２７は、タッチパネル入力受付部３によって受付された入力座標情報から入力位置を判断する部分である。
表示中コンテンツの状態判別部２８は、表示バッファ部２６に一時記憶された表示データから表示中のコンテンツの表示状態を判別する部分である。例えば、１画面表示中か、複数画面表示中かを判別する。また、タッチペンまたはマウスによって指示された位置がコンテンツの表示部分か表示部分でないかを判別する。また、複数画面を表示している場合に、表示しているコンテンツが互いに関係あるか、ないかを判断する。
【００１７】
データ部３は、コンテンツ検索情報データベース部３１と、コンテンツリスト表示情報データベース部３２と、コンテンツ解説部表示情報データベース部３３と、コンテンツ例文部表示情報データベース部３４を備える。
【００１８】
上記コンテンツ検索情報データベース部３１は、コンテンツ１の検索情報記憶部３１ａ、コンテンツ２の検索情報記憶部３１ｂ、コンテンツ３の検索情報記憶部３１ｃ・・・を備える。ここで、コンテンツとは国語辞書、漢字辞書、英語辞書、ドイツ語辞書、フランス語辞書、中国語辞書・・のような語学辞書であり、また電気用語辞典、機械用語辞典、化学辞典・・・のような専門用語辞典であり、百科事典、現代用語辞典、法律用語辞典、その他辞典、辞書を含む。以下も同じ。そして、コンテンツ検索情報データベース部３１は、コンテンツ１〜ｎの検索情報を記憶する。
【００１９】
コンテンツリスト表示情報データベース部３２は、コンテンツ１のリスト表示情報記憶部３２ａ、コンテンツ２のリスト表示情報記憶部３２ｂ、コンテンツ３のリスト表示情報記憶部３２ｃ・・・を備える。コンテンツリスト表示情報データベース部３２は、コンテンツ１〜ｎのリスト表示情報を記憶し、リスト表示する場合に読み出される。
コンテンツ解説部表示情報データベース部３３は、コンテンツ１の解説部表示情報記憶部３３ａ、コンテンツ２の解説部表示情報記憶部３３ｂ、コンテンツ３の解説部表示情報記憶部３３ｃ・・・を備える。コンテンツ解説部表示情報データベース部３３は、コンテンツ１〜ｎの解説部表示情報を記憶する。また、コンテンツ解説部表示情報データベース部３３は、コンテンツ１〜ｎの解説部表示情報の外に、コンテンツ解説部表示情報データベース部３３に関連する関連データまたはリンク情報を記憶してもかまわない。
この実施形態では、コンテンツリスト表示情報データベース部３２と、コンテンツ解説部表示情報データベース部３３を別々に備えているが、何れか一方を備えるだけでもよい。しかし、見出し語をリスト表示する場合は、コンテンツリスト表示情報データベース部３２を備える必要がある。
【００２０】
コンテンツ例文部表示情報データベース部３４は、コンテンツ１の例文部表示情報記憶部３４ａ、コンテンツ２の例文部表示情報記憶部３４ｂ、コンテンツ３の例文部表示情報記憶部３４ｃ・・・を備える。コンテンツ例文部表示情報データベース部３４は、コンテンツ１〜ｎの例文情報を一時記憶する。例文が存在しないコンテンツは、その例文部表示情報記憶部を省略することができる。また、例文は解説部表示情報に対応する関連データとして示したものであり、関連データを記憶してもよい。
制御部４は、プログラム部２に備えられた電子辞書の制御プログラム、文書作成プログラム、図表作成プログラムを読み出し、各プログラムに従って各部を順次動作させ、本発明の表示制御方法を実現する。
一時記憶部５は、各種データを一時記憶する部分である。
【００２１】
図２は、コンテンツ検索情報データベース部３１、コンテンツリスト表示情報データベース部３２、コンテンツ解説部表示情報データベース部３３の一例を詳細に示す図である。
図２（ａ）は、コンテンツ１について、コンテンツ１の検索情報記憶部３１ａ、コンテンツ１のリスト表示情報記憶部３２ａ、コンテンツ１の解説部表示情報記憶部３３ａの一例を詳細に示す。コンテンツ１は、例文が存在しないので、コンテンツ１の例文部表示情穂記憶部３４ａは省略されている。
図２（ｂ）は、コンテンツ２について、コンテンツ２の検索情報記憶部３１ｂ、コンテンツ２のリスト表示情報記憶部３２ｂ、コンテンツ２の解説部表示情報記憶部３３ｂ、コンテンツ２の例文部表示情報記憶部３４ｂの一例を詳細に示す。
【００２２】
図２に示したコンテンツｋの検索情報記憶部３１ｋ、コンテンツｋのリスト表示情報記憶部３２ｋ、コンテンツｋの解説部表示情報記憶部３３ｋ、コンテンツｋの例文部表示情穂記憶部３４ｋは、ｎ個のコンテンツについてそれぞれ備えられるが、図示を省略した。
なお、本発明において、図２（ａ）に示すように、コンテンツｋの検索情報記憶部３１ｋ、コンテン１のリスト表示情報記憶部３２ｋ、コンテンツ１の解説部表示情報データベース部３３ｋ及びコンテンツｋの例文部表示情穂記憶部３４ｋに記憶されるコンテンツは、関係あるコンテンツという。そして、図２（ａ）、図２（ｂ）・・・に記憶されるコンテンツは関係のないコンテンツという。つまり、コンテンツ番号が同じである検索情報、表示情報、解説部表示情報、例文部表示情穂は関係のあるコンテンツであり、コンテンツ番号が異なる検索情報、表示情報、解説部表示情報、例文部表示情穂は関係のないコンテンツである。
【００２３】
図３は、本発明の表示制御装置によって表示制御される表示状態の説明図である。
図３（ａ）は、表示部１１に、互いに関係のないコンテンツＡとＢを上下２つの画面に分割表示している表示状態を示し、上段には、日本語の単語「あ」の見出し語と、その単語の意味（解説）を表示している。下段は、日本語の単語「ああ」の見出し語と、その意味（解説）を表示している。この場合、上段と下段に表示するコンテンツＡとＢは、図２で説明したように、関係のないコンテンツである。このような２画面表示はＳジャンプ機能を使用した場合に行われる。
ここで、使用者がタッチパネル入力部１３を使用して、タッチペン１３Ａにより表示部１１の上段にタッチすると、図３（ｂ）に示すように、上段のコンテンツＡが表示部１１に１画面に表示される。タッチパネルに代えてマウスを使用して表示部１１の上段を指示してもよい。以下の説明はタッチペンによる操作だけを説明するが、タッチペンに代えてマウスを使用しても操作が可能である。
コンテンツＡが１画面に表示され、表示面積が拡大されるのに伴い、図３（ａ）の分割表示では表示されなかったコンテンツＡの一部が表示されるようになる。勿論、使用者が表示部１１の下段にタッチペン１３Ｂによりタッチすると、図３（ｃ）に示すように、下段のコンテンツＢが表示部１１に１画面に表示される。表示面積が拡大されるのに伴い、図３（ａ）の分割表示では表示されなかったコンテンツＢの一部が表示されるようになる。
【００２４】
このように、図３に示したように、分割画面が互いに関係のないコンテンツＡとＢを表示している場合に、どちらかの画面にタッチ操作すると、その操作は画面遷移であると解釈して、図３（ｂ）または図３（ｃ）のように画面表示を変化させる。
なお、本発明において、分割画面は、少なくとも２つ以上の画面を有することを意味し、その他のアイコンやマークを同時に表示していてもよい。また１画面表示（または全面画面）は、画面全部であってもかまわないが、１画面表示（全面画面）の一部に、その他のアイコンやマークを同時に表示していてもよい。以下、同様である。
【００２５】
図４は、本発明の表示制御装置によって表示制御される別の表示状態の説明図である。
図４（ａ）は、表示部１１に、互いに関係のあるコンテンツＣとＤを上下２つの画面に分割表示している表示状態を示し、上画面には、例えば、英語の単語「ａ，Ａ」の見出し語と、その意味（解説）を表示し、下画面には、単語に対応する英語の例文を表示している。例文表示に代えて、関連情報を表示してもよいし、例文と関連情報を表示してもよい。
この表示状態において、使用者がタッチペン１３Ｃにより上画面をタッチすると、上画面は見出し語の詳細情報である意味（解説）を表示しているので、その操作は意味のない操作であるとして、無効処理され、図４（ｂ）に示すように表示は変化しない。この場合、前の画面に戻るための「戻る」ボタンが上画面の隅に表示される。しかし、下画面をタッチペン１３Ｄによりタッチすると、下画面には、上画面の見出し語に関連する情報である例文が表示され、単語ではないので、図４(ｃ)のように、タッチ操作は範囲選択であると判断され、タッチペン１３Ｄによって操作された範囲が選択される。この場合、図４（ａ）の表示画面は変化しない。図４(ｃ)は、「a pen」が範囲選択されたとして示す。タッチペン１３Ｄによって行われる範囲選択操作は、始点と終点を操作するだけでもよいし、始点から終点までタッチパネルによってなぞる操作を行ってもよい。
ここで、下画面にタッチした場合、範囲選択であると判断されているが、上画面をタッチした時に範囲選択であると判断されても構わない。つまり、上画面と下画面とに互いに関係のあるコンテンツを表示している場合は、上画面か下画面いずれかの画面をタッチすると範囲選択であると判断され、範囲選択の処理がなされる。
なお、下画面をタッチした場合に、そのタッチした箇所が文字の表示部分でないときは、タッチ操作は無効処理される。
【００２６】
上記のようにして、範囲選択した部分は使用者の次の動作指示操作によって、色をつけたり（マーカー機能）、範囲選択した部分をキーワードとして検索を行ったり（Ｓジャンプ機能）、発音（単語音声、または文章読上げ機能）したりする。ここで、「マーカー機能」とは、選択されたすべての文字や記号の部分の背景を、その文字表示色とは異なる色で着色表示する機能である。「Ｓジャンプ機能」とは、選択された英字のみからなる１つの単語、あるいは選択された日本語文字列（たとえば、漢字，ひらがな，カタカナを含む文字列）を見出し語として、搭載された国語辞典などからその見出し語に対応する情報を検索する機能である。なお、選択される文字列は日本語の文字に限らず、表示している文字列であれば他の言語でも選択可能であり、その場合は、その言語に応じたコンテンツの情報を検索可能である。「単語音声再生機能」とは、選択されたアルファベット（英字）のみからなる文字列であって１つの英単語の読みを音声で出力する機能である。「文章音声再生機能」とは、選択された複数の英単語からなる文章を、合成音声で出力する機能である。
なお、電子辞書などで英語以外の言語（中国語など）の辞書を搭載している場合は、英単語や英文のみならず、他言語の単語や文章についても、実行可能な機能が予め決定されており、選択された文字列に対応して特定の機能を実行するものとする。
【００２７】
図５は、本発明の表示制御装置によって表示制御される更に別の表示状態の説明図である。
図５（ａ）は、表示部１１に、互いに関係のあるコンテンツＥとＦを左右２つの画面に分割表示している状態を示す。左画面は、日本語の単語「あ」、「ああ」、「あい」、「あいあい」、「あう」のように見出し語のリストを表示し、右画面は、リスト表示した見出し語の「あ」が選択されたとして、日本語「あ」の意味（解説）を表示している。右画面は表示領域が小さいため、「あ」の解説の一部を表示している。
ここで、使用者が表示部１１の左画面にリスト表示された見出し語を選択し、「ああ」にタッチペン１３Ｅによりタッチすると、図５（ｂ）に示すように、タッチされた見出し語に対応した意味（解説）が右画面に表示される。
図５（ａ）の表示状態のとき、使用者がタッチペン１３Ｆにより右画面にタッチすると、図５（ｃ）に示すように、右画面が表示部１１に１画面として表示される。表示面積が拡大されるのに伴い、図５（ａ）の分割表示では表示されなかったコンテンツＦが表示されるようになる。
なお、右画面をタッチした場合に、そのタッチした箇所が文字の表示部分でないときは、タッチ操作は無効処理される。
このように、分割画面が互いに関係のある情報を表示している場合に、どちらかの画面にタッチペンによりタッチ操作すると、その操作は画面遷移であると解釈して、図５（ｂ）または図５（ｃ）のように画面表示を変化させる。
【００２８】
図６は、本発明の表示制御装置によって表示制御される別の表示状態の説明図である。
図６（ａ）は、表示部１１に、コンテンツＧを１画面に表示している表示状態を示す。即ち、日本語の単語「あ」の見出し語と、その意味（解説）を表示している表示状態を示す。このようにコンテンツＧを１画面に表示する状態は、例えば、上記図３（ｂ）（ｃ）、図５（ｃ）に示した画面遷移によって得られる。
この表示状態は、使用者が目的の画面に到達した状態であり、使用者が画面にタッチする操作は画面遷移を要求するものではなく、その表示内容に対する選択処理である。図６の表示状態は１画面表示しており、図３（ａ）〜図５（ａ）のように２画面表示状態とは異なるので、タッチペンによるタッチ操作は次のようにコンテンツの文字表示部分と文字の非表示部分とで異なる動作が行われる。
【００２９】
図６（ａ）に示すように、コンテンツＧを１画面表示している状態において、タッチペン１３Ｇによるタッチ操作が文字の表示部分である場合は、範囲選択として処理する。図６（ｂ）は、この選択処理を示す。図６(ｂ)は、例えば、「日本語」が範囲選択されたとして、領域が表示される。範囲選択された領域を図６（ｂ）に四角の枠で示す。タッチペン１３Ｇによって行われる範囲選択操作は、始点と終点を操作するだけでもよいし、始点から終点までタッチペン１３Ｇによってなぞる操作を行ってもよい。タッチペン１３Ｇの操作位置座標がコンテンツＧの文字表示部分であるか、非表示部分であるかは、表示バッファ部２６に記憶されたデータが文字列部分であるか、スペース部分であるかによって判断される。例えばスペース部分は、文章の句点（文章の終わりに付けられた「。」）から残りの部分である。
選択した部分は使用者の次の動作指示操作によって、色をつけたり（マーカー機能）、範囲選択した部分をキーワードとして検索を行ったり（Ｓジャンプ機能）、発音（単語音声、または読上げ機能）したりする。
しかし、タッチペン１３Ｈによるタッチ操作がコンテンツの文字表示部分でない場合は、無効処理する。
【００３０】
図１、図２に示したブロック図の構成を用いて、図３〜図６に示したような動作が、図７〜図９に示すフローチャートのように処理されることによって実現される。
図７のフローチャートは、１画面表示状態か、２画面表示状態化によって、使用者が情報表示部分をタッチした場合と、情報表示部分でない部分をタッチした場合とで行われる処理を示す。即ち、図３と図６の場合を説明する。
最初に、ステップＳ１は、表示部１１にコンテンツが表示画面に表示されていて、使用者がタッチペンを用いて画面をタッチした場合である。これにより、表示画面にタッチペンによるタッチ操作が発生する。次に、ステップＳ２は、タッチパネル入力部１３によってタッチパネルの入力が受け付けられ、タッチパネル入力受付部２３によって、入力位置情報を取得する。つまり、表示画面上の座標位置を検出する。ステップＳ３では、表示中コンテンツの状態判別部２８によって表示中のコンテンツの状態を判別する。これは、表示バッファ部２６の表示データを検出することにより行われる。
【００３１】
この判別に基づき、ステップＳ４で、現在の表示状態が１画面表示か、２画面表示か判断する。１画面表示である場合は、ステップＳ５に移行し、ステップＳ５〜Ｓ７により、タッチペンによって指示された座標位置がコンテンツの表示部分か否か判断する。即ち、ステップＳ５では、タッチペンによって指示された位置を含む表示内容を、表示バッファ部２６より表示データを取得する。そして、ステップＳ６で、タッチペンによってタッチした座標位置がコンテンツの文字表示部分か否か判断する。もし、タッチした座標位置がコンテンツの文字表示部分であれば（Ｙｅｓ）、ステップＳ７で、制御部４がタッチされた文字の選択処理を行い、選択状態を示す表示処理を実施する。即ち、図６（ｂ）に示したように、タッチされた箇所を含み、タッチ操作された箇所を四角枠で範囲表示する。しかし、タッチの座標位置がコンテンツの文字表示部分でない場合（Ｎｏ）、このフローを終了する。つまり、タッチ操作の指示操作は無効処理される。
【００３２】
上記ステップＳ４において、２画面表示である場合は、ステップ８に移行し、ステップＳ８〜Ｓ１０により全面表示処理を実施する。即ち、ステップＳ８では、タッチパネルによって指示された位置は、２画面のうちのどちらであるかを、コンテンツ表示バッファ部２６より取得する。ステップＳ９では、タッチパネルによって指示された位置を含む表示内容を、コンテンツ表示処理部２５によりコンテンツ解説部表示情報データベース３３の表示データを読み込む。そして、ステップＳ１０で、読み込んだ表示データを表示処理部２１によって全面表示するように処理を実施する。つまり、図３で示したように、タッチした画面が全画面表示される。この例では、ステップＳ９は、コンテンツ解説部表示情報データベース３３の表示データを読み込むとしたが、表示中のデータを記憶している場合は、その記憶部より表示データを取得してもよい。あるいは、表示バッファ部２６の表示データを拡大表示してもよい。
【００３３】
図８は、２画面表示によって、見出し語のリスト表示と、その訳語の表示を同時表示している場合において、タッチペンによるタッチ箇所がリスト表示画面か、解説部表示画面かによって、動作を変化させる場合のフローチャートを示す。即ち、図５の動作を説明する。
初めの２つのステップＳ１１，Ｓ１２は、図７のステップＳ１、Ｓ２と同じである。次にステップＳ１３では、タッチペンによる入力位置の表示内容を判断する。そして、ステップＳ１４で、タッチされた位置の表示状態がリスト表示画面か、その解説部表示画面か判断する。この判別は、表示中コンテンツの状態判別部２７が表示バッファ部２６の表示データを検出することにより行われる。
もし、リスト表示画面である場合は、ステップＳ１５〜Ｓ１７に移行する。ステップＳ１５では、タッチパネルによって入力された入力位置に表示されているリスト表示データのデータＮｏ．を取得する。次にステップＳ１６では、ステップＳ１５で取得したデータＮｏ．に対応する解説部データを、コンテンツ解説部表示情報データベース部３３より読み込む。ステップＳ１７では、読み込んだ解説部データの表示を実施し、その後、このフローを終了する。
【００３４】
上記ステップＳ１４において、タッチされた位置の表示状態が解説部画面であった場合は、ステップＳ１８、Ｓ１９に移行する。ステップＳ１８では、タッチされたコンテンツの解説部表示データを、コンテンツ解説部表示情報データベース部３３より読み込み、ステップＳ１９で、解説部データの表示を実施し、その後、このフローを終了する。
【００３５】
図９は、表示画面に表示している表示内容によって、タッチの動作内容を変更する場合のフローチャートを示す。即ち、図４の動作を説明する。
図９において、ステップＳ２１〜Ｓ３１は、図７に示したステップＳ１〜Ｓ１０にそれぞれ対応し、同じ処理が実施される。
図９のフローチャートでは、ステップＳ２４の次のステップＳ２８において、表示中コンテンツの状態判別部２８によって選択された画面が例文表示データかどうか判断され、例文表示データでない場合（Ｎｏ）は、ステップＳ２９〜Ｓ３１の処理が実施される。
しかし、例文表示データである場合（Ｙｅｓ）は、ステップＳ３２〜Ｓ３４に移行する。ステップＳ３２では、入力位置情報の位置の表示内容を、表示データより取得する。次にステップＳ３３では、タッチした箇所に表示文字が存在するか否か判断する。タッチした箇所が表示文字である場合は（Ｙｅｓ）、ステップＳ３４で、タッチされた文字の選択処理と、選択状態の表示処理が実施され、このフローを終了する。
上記ステップＳ３３において、タッチした箇所に表示文字がない場合（Ｎｏ）、このフローを終了する。
【図面の簡単な説明】
【００３６】
【図１】本発明の表示制御装置のブロック図である。
【図２】本発明の表示制御装置のデータ部のブロック図である。
【図３】本発明の表示制御装置が適用される電子辞書の表示状態の説明図である。
【図４】本発明の表示制御装置が適用される電子辞書の別の表示状態の説明図である。
【図５】本発明の表示制御装置が適用される電子辞書の更に別の表示状態の説明図である。
【図６】本発明の表示制御装置が適用される電子辞書の更に別の表示状態の説明図である。
【図７】本発明の表示制御装置の第１のフローチャート図である。
【図８】本発明の表示制御装置の第２のフローチャート図である。
【図９】本発明の表示制御装置の第３のフローチャート図である。
【図１０】従来の表示制御装置の表示状態の説明図である。
【図１１】従来の表示制御装置の別の表示状態の説明図である。
【符号の説明】
【００３７】
１  入出力デバイス部
２  プログラム部
３  データ部
４  制御部
５  一時記憶部
１１  表示部
１２  キー入力部
１３  タッチパネル入力部
２３  コンテンツ検索処理部
２４  コンテンツ表示処理部
２８  表示中コンテンツの状態判別部
３１  コンテンツ検索情報データベース部
３２  コンテンツリスト表示情報データベース
３３  コンテンツ解説部表示情報データベース
３４  コンテンツ例文部表示情報データベース
【図１】
2010122812.tif 000003
【図２】
2010122812.tif 000004
【図３】
2010122812.tif 000005
【図４】
2010122812.tif 000006
【図５】
2010122812.tif 000007
【図６】
2010122812.tif 000008
【図７】
2010122812.tif 000009
【図８】
2010122812.tif 000010
【図９】
2010122812.tif 000011
【図１０】
2010122812.tif 000012
【図１１】
2010122812.tif 000013